(57)【要約】【課題】  光ファイバリングの一部に印加された物理的外力とその位置を同定し、且つ光ファイバリングの切断を容易に修復する。【解決手段】  光ファイバ侵入監視装置１は、波長が異なる２つの光源と、この２つの光源に対応した干渉光を検出する２種類の受光部とを備えた光ファイバ振動センサ検出装置４３と、この光ファイバ振動センサ検出装置４３の各光源と各受光部に接続される第１分岐結合器４５と、この第１分岐結合器４５に一端側を接続した光ファイバリング干渉型の振動センサを構成する振動センサ用光ケーブル６３と、この振動センサ用光ケーブル６３の他端側に接続した第２分岐結合器４７と、から構成される。前記振動センサ用光ケーブル６３はその長手方向の適宜間隔毎に前記振動センサ用光ケーブルの余長部６９を設けて監視用構造部材６５に布設される。【選択図】  図１
2007225397.tif 000002
【特許請求の範囲】
【請求項１】
光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置における振動センサ用光ケーブルの布設方法であって、
前記振動センサ用光ケーブルの長手方向の適宜間隔毎に余長部を設けて布設することを特徴とする光ファイバ侵入監視装置における振動センサ用光ケーブルの布設方法。
【請求項２】
波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置における振動センサ用光ケーブルの布設方法であって、
前記振動センサ用光ケーブルの長手方向の適宜間隔毎に余長部を設けて布設することを特徴とする光ファイバ侵入監視装置における振動センサ用光ケーブルの布設方法。
【請求項３】
光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置における振動センサ用光ケーブルの布設構造であって、
前記振動センサ用光ケーブルを監視用構造物に取り付けると共に前記振動センサ用光ケーブルの長手方向の適宜間隔毎に余長部を設けてなることを特徴とする光ファイバ侵入監視装置における振動センサ用光ケーブルの布設構造。
【請求項４】
波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置における振動センサ用光ケーブルの布設構造であって、
前記振動センサ用光ケーブルを監視用構造物に取り付けると共に前記振動センサ用光ケーブルの長手方向の適宜間隔毎に余長部を設けてなることを特徴とする光ファイバ侵入監視装置における振動センサ用光ケーブルの布設構造。
【発明の詳細な説明】
【技術分野】
【０００１】
この発明は、振動センサ用光ケーブルの布設方法及びその構造に関し、特に光ファイバリングの一部に物理的外力が印加された場合にその外力の検出と外力が印加された位置を同定する光ファイバリング干渉型の振動センサを構成する光ファイバ侵入監視装置における振動センサ用光ケーブルの布設方法及びその構造に関する。
【背景技術】
【０００２】
近年、侵入者からの防犯、道路や鉄道での落石検出手段として可能な光ファイバとレーザ光を応用した干渉型センサが提案されている。たとえば振動等の物理的外力（力学的刺激）により光ファイバケーブルの一部が応力を受けたために、伝搬する光の光路長が変化して位相等の物理的性質が変化することを利用した外力刺激の検出装置が知られている。
【０００３】
図４を参照するに、例えば、非特許文献１に示されているように、光ファイバリング干渉型の振動センサ１０１が知られている。この光ファイバリング干渉型の振動センサ１０１の利点としては、次のことがらがあげられる。（１）光ファイバに伝わった振動・衝撃をリアルタイムに観測できる。（２）センサ部は一般の光ファイバケーブルを使用でき、特殊なセンサ部を必要としない。（３）光源や受光回路以外は、すべて受動光学素子で構成されるため、センサ区間近傍で電源や避雷・防爆の対策が不要である。このとき、上記の光ファイバリング干渉型の振動センサ１０１により、振動が加わっている位置を知る必要がある。
【０００４】
そこで、従来の光ファイバリング干渉型の振動センサ１０１は、図４に示されているように、第１干渉型振動センサ１０３と第２干渉型振動センサ１０５とを用いて、各第１，第２干渉型振動センサ１０３，１０５に入力された互いに異なる波長の光が振動によって生じた各干渉光強度を検出して比較することで振動位置、振動レベル等の振動特性を同定するものである。
【０００５】
すなわち、第１干渉型振動センサ１０３は、１．３μｍの波長帯の光を発生する第１光源１０７に接続される第１ポート１０９と、フォトダイオード（ＰＤ）からなる第１受光部１１１に接続される第２ポート１１３との少なくとも２つのポート（図５では３つのポート）から、少なくとも２つの第３、第４ポート１１５，１１７に分岐する第１分岐光カプラ１１９と、この第１分岐光カプラ１１９に光学的に接続する第１光ファイバリング１２１と、から構成されている。なお、前記第１光ファイバリング１２１は、その一端が前記第３ポート１１５に接続されていると共にその他端が前記第４ポート１１７に接続されている。
【０００６】
また、第２干渉型振動センサ１０５は、前記第１光源１０７と異なる１．５５μｍの波長帯の光を発生する第２光源１２３に接続される第５ポート１２５と、フォトダイオード（ＰＤ）からなる第２受光部１２７に接続される第６ポート１２９との少なくとも２つのポート（図５では３つのポート）から、少なくとも２つの第７，第８ポート１３１，１３３に分岐する第２分岐光カプラ１３５と、この第２分岐光カプラ１３５に光学的に接続する第２光ファイバリング１３７と、から構成されている。なお、前記第２光ファイバリング１３７の一端が前記第７ポート１３１に接続されていると共にその他端が前記第８ポート１３３に接続されている。
【０００７】
さらに、前記第１，第２干渉型振動センサ１０３，１０５は、前記第１光ファイバリング１２１の全長の中点Ｘ１と前記第２光ファイバリング１３７の全長の中点Ｘ２が互いに反対側に位置すべく前記第１，第２光ファイバリング１２１，１３７を対称的に配置し、且つ前記第１，第２光ファイバリング１２１，１３７の前記各中点Ｘ１，Ｘ２を除く部分の光ファイバを４つのＷＤＭカプラの第３分岐光カプラ１３９により分岐して１．３μｍ帯と１．５５μｍ帯の両波長帯にて共有する２本の光ファイバリング部１４１に構成されている。
【０００８】
したがって、前記第１干渉型振動センサ１０３では、前記第１光源１０７から入力された１．３μｍの波長帯の伝搬光が第１分岐光カプラ１１９の第１ポート１０９から第３、第４ポート１１５，１１７に分岐されて時計回り（Clock Wise：ＣＷ）光と反時計回り（Counter Clock Wise：ＣＣＷ）光に分岐され、図４の実線で示されているようにそれぞれ第１光ファイバリング１２１を一周する。各ＣＷ光とＣＣＷ光が再び第１分岐光カプラ１１９で合波され、第１受光部１１１ではその干渉光が検出される。
【０００９】
このとき、第１光ファイバリング１２１内、すなわち光ファイバリング部１４１に振動・衝撃が加えられると、光ファイバに屈折率変化が生じる。このとき、第１受光部１１１ではこの現象が振動によって位相変調されたＣＷ光とＣＣＷ光の干渉光の強度変化として検出される。
【００１０】
一方、前記第２干渉型振動センサ１０５では、上述した第１干渉型振動センサ１０３とほぼ同様であり、前記第２光源１２３から入力された１．５５μｍの波長帯の伝搬光が第２分岐光カプラ１３５によりＣＷ光とＣＣＷ光に分岐されて図４の点線で示されているようにそれぞれ第２光ファイバリング１３７を一周する。各ＣＷ光とＣＣＷ光が再び第２分岐光カプラ１３５で合波され、第２受光部１２７でその干渉光が検出される。第２光ファイバリング１３７内、すなわち光ファイバリング部１４１に加えられた振動によって位相変調されたＣＷ光とＣＣＷ光の干渉光の強度変化が検出される。
【００１１】
さらに、上記の第１，第２干渉型振動センサ１０３，１０５の干渉光の強度変化を比較することで加振点の振動位置、振動レベル等の振動特性が同定される。
【００１２】
上記の光ファイバリング干渉型の振動センサ１０１は、光ファイバリング部１４１を収容した振動センサ用光ケーブル１４３で構成され、この振動センサ用光ケーブル１４３の長さＬを長くして、図５（Ａ）に示されているように、例えば監視区間に張り巡らしたフェンス１４５などの監視用構造部材に前記振動センサ用光ケーブル１４３の適宜箇所を固定具１４７などで固定し、例えば数ｋｍ〜数十ｋｍの全長に亘って延長させて布設されることにより、光ファイバ侵入監視装置が構成されている。侵入者が前記フェンス１４５から侵入するときに生じる加振点の振動位置や振動レベルを検出することができる。
【非特許文献１】フジクラ技報第１０３号（２００２年１０月）
【発明の開示】
【発明が解決しようとする課題】
【００１３】
ところで、従来の光ファイバリング干渉型の振動センサ１０１においては、図５（Ｂ）に示されているように、侵入者又は飛来物などにより振動センサ用光ケーブル１４３が切断された場合は、この切断部１４９を再び接続して修復する必要があるが、別の修復用の光ケーブルでその両端部の２箇所を前記振動センサ用光ケーブル１４３の切断部１４９にそれぞれ接続する必要があるので、この修復作業（光ケーブルの接続作業）に多くの時間がかかるという問題点があった。
【００１４】
しかも、上記のように別の修復用の光ケーブルで接続して修復すると、光ファイバリング部１４１を含む第１，第２光ファイバリング１２１，１３７の全体の長さが変わるために、所謂、光ファイバリング干渉型の振動センサ１０１のシステムの再設定が必要となってくるので、その再設定作業に多くの時間がかかるという問題点があった。
【００１５】
この発明は上述の課題を解決するためになされたものである。
【課題を解決するための手段】
【００１６】
上記発明が解決しようとする課題を達成するために、この発明の光ファイバ侵入監視装置における振動センサ用光ケーブルの布設方法は、光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置における振動センサ用光ケーブルの布設方法であって、
前記振動センサ用光ケーブルの長手方向の適宜間隔毎に余長部を設けて布設することを特徴とするものである。
【００１７】
また、この発明の光ファイバ侵入監視装置における振動センサ用光ケーブルの布設方法は、波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置における振動センサ用光ケーブルの布設方法であって、
前記振動センサ用光ケーブルの長手方向で適宜間隔毎に余長部を設けて布設することを特徴とするものである。
【００１８】
この発明の光ファイバ侵入監視装置における振動センサ用光ケーブルの布設構造は、光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置における振動センサ用光ケーブルの布設構造であって、
前記振動センサ用光ケーブルを監視用構造物に取り付けると共に前記振動センサ用光ケーブルにその長手方向の適宜間隔毎に余長部を設けてなることを特徴とするものである。
【００１９】
また、この発明の光ファイバ侵入監視装置における振動センサ用光ケーブルの布設構造は、波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置における振動センサ用光ケーブルの布設構造であって、
前記振動センサ用光ケーブルを監視用構造物に取り付けると共に前記振動センサ用光ケーブルにその長手方向の適宜間隔毎に余長部を設けてなることを特徴とするものである。
【発明の効果】
【００２０】
以上のごとき課題を解決するための手段から理解されるように、この発明の光ファイバ侵入監視装置における振動センサ用光ケーブルの布設方法によれば、侵入者又は飛来物などにより振動センサ用光ケーブルが切断されても、振動センサ用光ケーブルの長手方向の適宜間隔毎に余長部があるので、従来のように別の修復用の光ケーブルを必要とせず、最寄りの前記余長部を容易に手繰り寄せて前記切断部を再び接続して修復することができる。したがって、修復のための振動センサ用光ケーブルの接続箇所は１箇所であるので、修復作業の時間短縮を図ることができる。しかも、前記余長部を手繰り寄せて接続するために振動センサ用光ケーブルの全体の長さが変化しないので、従来のように光ファイバリング干渉型の振動センサのシステムの再設定は必要ではないため、修復作業の時間短縮を図ることができる。
【００２１】
また、この発明の光ファイバ侵入監視装置における振動センサ用光ケーブルの布設方法によれば、波長の異なる光が加振点の振動によって位相変調された２つの干渉光の強度変化を検出して比較することで前記加振点の振動位置や振動レベル等の振動特性を同定できる振動センサ用光ケーブルにも適用でき、上述した振動センサ用光ケーブルの布設方法と同様の効果が得られる。
【００２２】
また、この発明の光ファイバ侵入監視装置における振動センサ用光ケーブルの布設構造によれば、上記の布設方法と同様であり、侵入者又は飛来物などにより振動センサ用光ケーブルが切断されても、振動センサ用光ケーブルにはその長手方向で適宜間隔毎に余長部があるので、従来のように別の修復用の光ケーブルを必要とせず、最寄りの前記余長部を容易に手繰り寄せて前記切断部を再び接続して修復することができる。したがって、修復のための振動センサ用光ケーブルの接続箇所は１箇所であるので、修復作業の時間短縮を図ることができる。しかも、前記余長部を手繰り寄せて接続するために振動センサ用光ケーブルの全体の長さが変化しないので、従来のように光ファイバリング干渉型の振動センサのシステムの再設定は必要ではないため、修復作業の時間短縮を図ることができる。
【００２３】
また、この発明の光ファイバ侵入監視装置における振動センサ用光ケーブルの布設構造によれば、波長の異なる光が加振点の振動によって位相変調された２つの干渉光の強度変化を検出して比較することで前記加振点の振動位置や振動レベル等の振動特性を同定できる振動センサ用光ケーブルにも適用でき、上述した振動センサ用光ケーブルの布設構造と同様の効果が得られる。
【発明を実施するための最良の形態】
【００２４】
以下、この発明の実施の形態について図面を参照して説明する。
【００２５】
図１（Ａ）〜（Ｃ）及び図２を参照するに、この実施の形態に係る光ファイバ侵入監視装置１としては、図２に示されているように、第１干渉型振動センサ３と第２干渉型振動センサ５とを用いて、各第１，第２干渉型振動センサ３，５に入力された互いに異なる波長の光が振動によって生じた各干渉光強度を検出して比較することで加振点の振動位置、振動レベル等の振動特性を同定するものである。
【００２６】
上記の第１干渉型振動センサ３は、１．３μｍの波長帯の光を発生する第１光源７に接続される第１ポート９と、フォトダイオード（ＰＤ）からなる第１受光部１１に接続される第２ポート１３との少なくとも２つのポート（図２では３つのポート）から、少なくとも２つの第３，第４ポート１５，１７に分岐する第１分岐光カプラ１９と、この第１分岐光カプラ１９に光学的に接続する第１光ファイバリング２１と、から構成されている。なお、前記第１光ファイバリング２１の一端が前記第３ポート１５に接続されていると共にその他端が前記第４ポート１７に接続されている。
【００２７】
また、第２干渉型振動センサ５は、前記第１光源７と異なる１．５５μｍの波長帯の光を発生する第２光源２３に接続される第５ポート２５と、フォトダイオード（ＰＤ）からなる第２受光部２７に接続される第６ポート２９との少なくとも２つのポート（図２では３つのポート）から、少なくとも２つの第７，第８ポート３１，３３に分岐する第２分岐光カプラ３５と、この第２分岐光カプラ３５に光学的に接続する第２光ファイバリング３７と、から構成されている。なお、前記第２光ファイバリング３７の一端が前記第７ポート３１に接続されていると共にその他端が前記第８ポート３３に接続されている。
【００２８】
なお、この実施の形態では、上記の第１，第２分岐光カプラ１９，３５にはそれぞれ３×３カプラが用いられている。
【００２９】
さらに、前記第１，第２干渉型振動センサ３，５は、前記第１光ファイバリング２１の全長の中点Ｘ１と前記第２光ファイバリング３７の全長の中点Ｘ２が互いに反対側に位置すべく前記第１，第２光ファイバリング２１，３７を対称的に配置し、且つ前記第１，第２光ファイバリング２１，３７の前記各中点Ｘ１，Ｘ２を除く部分の光ファイバを４つのＷＤＭカプラの第３分岐光カプラ３９により分岐して１．３μｍ帯と１．５５μｍ帯の両波長帯にて共有する２本の光ファイバリング部４１に構成されている。
【００３０】
したがって、前記第１干渉型振動センサ３では、前記第１光源７から入力された１．３μｍの波長帯の伝搬光が第１分岐光カプラ１９の第１ポート９から第３，第４ポート１５，１７に分岐されて時計回り（Clock Wise：ＣＷ）光と反時計回り（Counter Clock Wise：ＣＣＷ）光に分岐され、図２の実線で示されているようにそれぞれ第１光ファイバリング２１を一周する。各ＣＷ光とＣＣＷ光が再び第１分岐光カプラ１９で合波され、第１受光部１１ではその干渉光が検出される。このとき、振動・衝撃が加えられていない静的な状態であれば、ＣＷ光とＣＣＷ光の第１光ファイバリング２１内の光路長は同じであるから、両者の位相差は一定となり、前記第１受光部１１によって検出される信号は一定となる。
【００３１】
ところが、第１光ファイバリング２１内、すなわち光ファイバリング部４１に振動等の物理的外力（力学的刺激）が加えられると、光ファイバに屈折率変化が生じる。このとき、第１受光部１１ではこの現象が振動によって位相変調されたＣＷ光とＣＣＷ光の干渉光の強度変化として検出される。
【００３２】
例えば、時間ｔにおいて加振点にて位相変調が生じた場合、ＣＷ光が加振点から第１受光部１１に到達するまでの時間ＴＣＷと、ＣＣＷ光が加振点から第１受光部１１に到達するまでの時間ＴＣＣＷとすると、第１受光部１１で検出される干渉光の強度は、加わった位相変調と、前記時間ＴＣＷと時間ＴＣＣＷとの間の２つの変数の関数で与えられることになる。なお、この詳細は非特許文献１で示されているので、その説明は省略する。
【００３３】
一方、前記第２干渉型振動センサ５では、上述した第１干渉型振動センサ３とほぼ同様であり、前記第２光源２３から入力された１．５５μｍの波長帯の伝搬光が第２分岐光カプラ３５によりＣＷ光とＣＣＷ光に分岐されて図２の点線で示されているようにそれぞれ第２光ファイバリング３７を一周する。各ＣＷ光とＣＣＷ光が再び第２分岐光カプラ３５で合波され、第２受光部２７でその干渉光が検出される。第２光ファイバリング３７内、すなわち光ファイバリング部４１に加えられた振動によって位相変調されたＣＷ光とＣＣＷ光の干渉光の強度変化が検出される。
【００３４】
このとき、加振点から第１，第２受光部１１，２７に到達するまでの光の時間に対して振動による位相変化が十分遅く変化する場合、１．３μｍ帯、１．５５μｍ帯でそれぞれ生じる位相差Δφ１．３及びΔφ１．５５を算出することができ、加振点までの距離は、１．３μｍ帯、１．５５μｍ帯でそれぞれ生じる位相差Δφ１．３とΔφ１．５５の比により算出することができる。
【００３５】
以上のように、第１干渉型振動センサ３によって前記第１光源７から入力された１．３μｍ帯の光が振動によって位相変調された干渉光の強度変化と、第２干渉型振動センサ５によって前記第２光源２３から入力された１．５５μｍ帯の光が振動によって位相変調された干渉光の強度変化とを検出して比較することで、光ファイバリング部４１の一部に振動などの物理的外力が印加された加振点の振動位置や振動レベル等の振動特性を同定することができる。
【００３６】
図１（Ａ）〜（Ｃ）、図２及び図３を併せて参照するに、第１光源７、第１受光部１１、第２光源２３、第２受光部２７は光ファイバ振動センサ検出装置としての例えば振動検出器本体４３内に収容されている。第１分岐光カプラ１９は第１分岐結合器４５内に収容されている。第２分岐光カプラ３５は第２分岐結合器４７内に収容されている。
【００３７】
また、第１光源７及び第１受光部１１から第１分岐光カプラ１９までの間はそれぞれ第１光ファイバ４９（図２では３心）で接続されており、第２光源２３及び第２受光部２７から第２分岐光カプラ３５までの間はそれぞれ第２光ファイバ５１（図２では３心）で接続されている。
【００３８】
したがって、振動検出器本体４３と第１分岐結合器４５との間は、第１，第２光ファイバ４９，５１で合計６心が、図１（Ｂ）に示されているように、例えば１本のテンションメンバ５３に縦添えされると共にその全外周を外被５５でシースして構成されたアプローチ用光ケーブル５７で接続されている。
【００３９】
また、第１分岐結合器４５と第２分岐結合器４７との間は、第２光ファイバ５１（３心）と第１，第２光ファイバリング２１，３７の共有部分の光ファイバリング部４１（２心）で合計５心が、図１（Ｃ）に示されているように、例えば１本のテンションメンバ５９に縦添えされると共にその全外周を外被６１でシースして構成された振動センサ用光ケーブル６３で接続されている。
【００４０】
また、この実施の形態に係る光ファイバ侵入監視装置１では、上記の振動センサ用光ケーブル６３はその長さＬを任意に長くして、図１（Ａ）及び図３（Ａ）に示されているように、例えば監視区間に張り巡らしたフェンス６５などの監視用構造部材に前記振動センサ用光ケーブル６３の適宜箇所を固定具６７などで固定し、数ｋｍ〜数十ｋｍの全長に亘って延長させて布設される。
【００４１】
このとき、前記振動センサ用光ケーブル６３の長手方向の例えば数ｍ〜数十ｍの適宜間隔毎に、約５００ｍｍ程度の余長部６９を設けてフェンス６５に配線されることが、この発明の実施の形態の主な特徴である。
【００４２】
上記構成により、侵入者が前記フェンス６５から侵入するときに生じる振動センサ用光ケーブル６３の加振点の振動位置（加振点までの距離）や振動レベルが第１，第２光ファイバリング２１，３７の光ファイバリング部４１で検出できる。しかも、図３（Ｂ）に示されているように、侵入者又は飛来物などにより振動センサ用光ケーブル６３が切断された場合は、この切断部７１を再び接続して修復する必要があるが、振動センサ用光ケーブル６３の長手方向の適宜間隔毎に余長部６９があるので、従来のように別の修復用の光ケーブルを必要とせず、図３（Ｃ）の矢印に示されているように、最寄りの前記余長部６９を容易に手繰り寄せて前記切断部７１を再び接続して修復することができる。
【００４３】
したがって、修復のための振動センサ用光ケーブル６３の接続箇所は１箇所であるので、修復作業の時間短縮を図ることができる。しかも、前記余長部６９を手繰り寄せて接続するために振動センサ用光ケーブル６３の全体の長さが殆ど変化しないので、従来のように光ファイバ侵入監視装置１の所謂、光ファイバリング干渉型の振動センサのシステムの再設定が必要ではないため、修復作業の大幅な時間短縮を図ることができる。
【００４４】
なお、前述した実施の形態の光ファイバ侵入監視装置１では、第１，第２干渉型振動センサ３，５を備えている場合について説明したが、単に第１干渉型振動センサ３のみを有する場合にも適用可能である。
【００４５】
すなわち、この場合の光ファイバ侵入監視装置では、第１干渉型振動センサ３が第１光源７と第１受光部１１と第１分岐光カプラ１９と第１光ファイバリング２１とから構成され、この第１光ファイバリング２１を収容した振動センサ用光ケーブルを構成するものである。
【００４６】
したがって、この場合でも、侵入者が前記フェンス６５から侵入するときに生じる振動等の物理的外力が第１光ファイバリング２１で検出できると共に、侵入者又は飛来物などにより上記の振動センサ用光ケーブルが切断された場合に、前述した実施の形態と同様に切断部７１を容易に接続して修復することができる。つまり、第１光ファイバリング２１のみによる場合は、前述した第１，第２干渉型振動センサ３，５による場合に検出される振動特性と異なるが、振動センサ用光ケーブルの余長部６９に係わる効果は前述した実施の形態の説明と同様である。
【図面の簡単な説明】
【００４７】
【図１】（Ａ）は、この発明の実施の形態の光ファイバ侵入監視装置を概略的に示す斜視図で、（Ｂ）は（Ａ）の矢視ＩＢ−ＩＢ線の断面図で、（Ｃ）は（Ａ）の矢視ＩＣ−ＩＣ線の断面図である。
【図２】この発明の実施の形態の光ファイバ侵入監視装置を概略的に示す回路図である。
【図３】（Ａ）は、この発明の実施の形態の光ファイバ侵入監視装置における振動センサ用光ケーブルの布設構造を概略的に示す正面図で、（Ｂ）は（Ａ）の振動センサ用光ケーブルが切断された状態を示す概略説明図で、（Ｃ）は切断部を修復するときの概略説明図である。
【図４】従来の光ファイバリング干渉型の振動センサを概略的に示す回路図である。
【図５】（Ａ）は、従来の振動センサ用光ケーブルの布設構造を概略的に示す正面図で、（Ｂ）は（Ａ）の振動センサ用光ケーブルが切断された状態を示す概略説明図である。
【符号の説明】
【００４８】
１  光ファイバ侵入監視装置
３  第１干渉型振動センサ
５  第２干渉型振動センサ
７  ケーブル切断検出用光ファイバ
９  第１光源
９  第１ポート
１１  第１受光部
１３  第２ポート
１５  第３ポート
１７  第４ポート
１９  第１分岐光カプラ
２１  第１光ファイバリング
２３  第２光源
２５  第５ポート
２７  第２受光部
２９  第６ポート
３１  第７ポート
３３  第８ポート
３５  第２分岐光カプラ
３７  第２光ファイバリング
３９  第３分岐光カプラ
４１  光ファイバリング部
４３  振動検出器本体（光ファイバ振動センサ検出装置）
４５  第１分岐結合器
４７  第２分岐結合器
５７  アプローチ用光ケーブル
６３  振動センサ用光ケーブル
６５  フェンス（監視用構造部材）
６７  固定具
６９  余長部
Ｘ１  第１光ファイバリングの中点
Ｘ２  第２光ファイバリングの中点
【図１】
2007225397.tif 000003
【図２】
2007225397.tif 000004
【図３】
2007225397.tif 000005
【図４】
2007225397.tif 000006
【図５】
2007225397.tif 000007